(57)【要約】【課題】エレベータドアレールの上面の清掃及び給油を簡易に行うエレベータドアレールの清掃及び給油保守具を提供する。【解決手段】本保持具１は、エレベータのドアレール１１の上面に堆積した塵埃を清掃し、ドアレール１１の表面に給油する保守具１において、把持部２と、把持部２の一端に接続される油供給部３と、油供給部３内に差し込まれ把持部２の他端から突き出す給油管４と、給油管４の先端に設けられて油が給油される塗布部材５と、把持部２に接続して塗布部材５を支持する支持部７、及び塗布部材５の上面１２及び両側面１３ａ，１３ｂを包むコの字型の断面の取付け部８を有する取付け金具６と備え、取付け金具６は、取付け部８の側面の縁部によりドアレール１１の上面に堆積した塵埃を削り取ることを特徴とする。【選択図】図１
2010149979.tif 000002
【特許請求の範囲】
【請求項１】
エレベータのドアレールの上面に堆積した塵埃を清掃し、ドアレールの表面に給油する保守具において、
把持部と、把持部の一端に接続されて油を貯蔵する油供給部と、油供給部内に差し込まれて把持部の他端から突き出す給油管と、給油管の先端に設けられて給油される塗布部材と、把持部に接続して塗布部材を支持する支持部、及びコの字型の断面により塗布部材を上面及び両側面から包む取付け部を有する取付け金具と、を備え、
取付け金具は、取付け部側面の縁部によりドアレールの上面に堆積した塵埃を削り取ることを特徴とするエレベータドアレールの清掃及び給油保守具。
【請求項２】
請求項１に記載のエレベータドアレールの清掃及び給油保守具であって、塗布部材は、略直方体であり、取付け金具の側面の幅よりも大きな厚みを有し、保守具を引き下げて塗布部材を収縮させることで取付け金具の側面をドアレールに接触させることを特徴とするエレベータドアレールの清掃及び給油保守具。
【請求項３】
請求項１又は２に記載のエレベータドアレールの清掃及び給油保守具であって、塗布部材は、取付け金具の側面近傍において厚みが減少することを特徴とするエレベータドアレールの清掃及び給油保守具。
【請求項４】
請求項１乃至３のいずれか１に記載のエレベータドアレールの清掃及び給油保守具であって、油供給部を押圧することで油が塗布部材に給油されることを特徴とするエレベータドアレールの清掃及び給油保守具。
【請求項５】
請求項１乃至４のいずれか１に記載のエレベータドアレールの清掃及び給油保守具であって、塗布部材は、締結具により取付け金具に着脱可能に固定されることを特徴とするエレベータドアレールの清掃及び給油保守具。
【請求項６】
請求項１乃至５のいずれか１に記載のエレベータドアレールの清掃及び給油保守具であって、油供給部は、把持部に着脱自在に接続されてキャップにより密封されることを特徴とするエレベータドアレールの清掃及び給油保守具。
【発明の詳細な説明】
【技術分野】
【０００１】
本発明は、エレベータドアレールの清掃及び給油保守具に係り、特に、エレベータのドアレールの上面に堆積した塵埃を清掃し、エレベータのドアレールの表面に給油するエレベータドアレールの清掃及び給油保守具に関する。
【背景技術】
【０００２】
エレベータには、エレベータ乗場に設けられた乗場ドアを案内する乗場ドアレール、及びエレベータかごに設けられたかごドアを案内するかごドアレールが設置されている。そして、エレベータが乗場位置に達すると乗場ドア、及びかごドアが共に開閉してエレベータの乗客を乗降させる。
【０００３】
図６に、エレベータの乗場ドアレールと乗場ドアの位置関係を示す。図６（ａ）にドアレール側から見た概略の断面を示し、図６（ｂ）にエレベータ乗場側から見た概略の側面を示す。乗場ドアレール２２はレール状の断面を有してエレベータ乗場３０の乗場ドア２０の上部に設けられている。乗場ドア２０の上部には、ハンガープレート２１を介してローラ２３が設けられ、このローラ２３が乗場ドアレール２２の上面に懸垂している。これらの乗場ドアレール２２やローラ２３は、ハンガーケース２４、取り付けカバー２５により囲われている。
【０００４】
図（ｂ）に示すように、乗場ドア２０は乗場ドアレール２２の一定の移動範囲（Ｗ）内を往復するために、乗場ドアレール２２の上面に堆積した塵埃を左右端に運び、塵埃の塊２７が発生する。この塵埃の塊２７は、乗場ドアレール２２の上面に塗布される油を含んで固化し、ローラ２３の開閉が円滑に行われなくなる。また、乗場ドアレール２２の上面に塗布される油が切れると乗場ドアレール２２上を回転走行するローラ２３との接触によりきしみ音が発生する場合がある。
【０００５】
この乗場ドアレール２２の上面は、エレベータの定期的な保守点検などの際には、保守員により取り付けカバー２５を剥がして清掃や給油が行われる。しかし、定期的な保守点検の間においてもドアレールの清掃及び給油作業をしなければならない場合が発生する。この場合には、エレベータの試運転前に取り付けカバー２５を付けたままドアレールの清掃作業及び給油作業が行われる。
【０００６】
従来、このドアレールの清掃作業及び給油作業は、先端に爪を有する保守具を用いて塵埃の塊を清掃し、油差しとウエスとを用いて給油を行っていた。
【０００７】
一方、特許文献１には、エレベータのドアレール保守具が開示されている。ここでは、下端部に握り部がある柄の上端部の折曲部に清掃器、或いは油塗布器などの保守器を設け、作業者が柄の握り部を持って下方から戸とハンガーケースのカバーとの隙間に柄を通し、この柄に設けた清掃器、或いは油塗布器が取り付いた保守器によりドアレールの上部を清掃、或いは清掃した面に油を塗布することが記載されている。また、清掃器、と油塗布器とは、保守具の柄の折曲部に刃部を設け、作業に応じて清掃器と油塗布器とを付け換えて使用する。また、油塗布器は、保持筒の下端部にスポンジ状の塗布部材が固定され、保持筒の上部に潤滑油などの油が充填されている。
【０００８】
【特許文献１】特開平０３−９５０９２号公報
【発明の開示】
【発明が解決しようとする課題】
【０００９】
従来、エレベータの保守員は、ドアレールの清掃作業、或いは給油作業ごとにドアレール保守具の先端を取替えながら作業をしていた。この保守作業はエレベータを停止して行うため短時間で終了しなければならず、この作業を効率よく行わなければならないという問題があった。
【００１０】
また、ドアレールの給油作業では、給油量の調節が難しい、塗布部材の劣化や磨耗による交換が容易でない、運搬時に塗布器内の油が漏洩する、といった問題があった。
【００１１】
本願の目的は、かかる課題を解決し、エレベータドアレールの上面の清掃及び給油を簡易に行うエレベータドアレールの清掃及び給油保守具を提供することである。
【課題を解決するための手段】
【００１２】
上記目的を達成するため、本発明に係るエレベータドアレールの清掃及び給油保守具は、エレベータのドアレールの上面に堆積した塵埃を清掃し、ドアレールの表面に給油する保守具において、把持部と、把持部の一端に接続されて油を貯蔵する油供給部と、油供給部内に差し込まれて把持部の他端から突き出す給油管と、給油管の先端に設けられて給油される塗布部材と、把持部に接続して塗布部材を支持する支持部、及びコの字型の断面により塗布部材を上面及び両側面から包む取付け部を有する取付け金具と、を備え、取付け金具は、取付け部側面の縁部によりドアレールの上面に堆積した塵埃を削り取ることを特徴とする。
【００１３】
上記構成により、取付け金具は、エレベータドアレールの給油を行う塗布部材を固定する役割と共に、側面の縁部によりドアレールの上面に堆積した塵埃を削り取るという役割を持つ。従って、ドアレールの清掃作業及び給油作業について、取付け部品をその都度取り替えることなく連続的に行うことができる。
【００１４】
また、エレベータドアレールの清掃及び給油保守具は、塗布部材が、略直方体であり、取付け金具の側面の幅よりも大きな厚みを有し、保守具を引き下げて塗布部材を収縮させることで取付け金具の側面をドアレールに接触させることが好ましい。これにより、ドアレールの上面に給油する際に取付け金具の側面に邪魔されずに接触することができる。
【００１５】
また、エレベータドアレールの清掃及び給油保守具は、塗布部材が、取付け金具の側面近傍において厚みが減少することが好ましい。これにより、ドアレールの上面に堆積した塵埃を削り取る際に塗布部材に邪魔されずに接触することができる。
【００１６】
また、エレベータドアレールの清掃及び給油保守具は、油供給部を押圧することで油が塗布部材に給油されることが好ましい。これにより、保守員による油供給部への押圧力のかけ方で塗布部材への給油量の調整が容易にできる。
【００１７】
また、エレベータドアレールの清掃及び給油保守具は、塗布部材が、締結具により取付け金具に着脱可能に固定されることが好ましい。これにより、保守員により本保守具を運搬或いは保管する際に、内部の油の漏洩を確実に防止することができる。
【００１８】
さらに、エレベータドアレールの清掃及び給油保守具は、油供給部が、把持部に着脱自在に接続されてキャップにより密封されることが好ましい。これにより、塗布部材の劣化による交換を容易に行うことができる。
【発明の効果】
【００１９】
以上のように、本発明に係るエレベータドアレールの清掃及び給油保守具によれば、エレベータドアレールの上面の清掃及び給油を簡易に行うことが可能となる。
【発明を実施するための最良の形態】
【００２０】
以下に、図面を用いて本発明に係るエレベータドアレールの清掃及び給油保守具の実施の形態につき、詳細に説明する。
【００２１】
図１に、エレベータドアレールの清掃及び給油保守具の１つの実施形態の概略構成を示す。図１（ａ）は、本保守具１の斜視図であり、図１（ｂ）は、エレベータのドアレールの上面を清掃及び給油する状態を表した側面図である。本保守具１は、把持部２、油供給部３、給油管４、塗布部材５、及び取付け金具６から構成される。
【００２２】
把持部２は、保守員が本保守具１を手で握る部分であり、蓋部１６及び内部が空洞の円筒部１７から構成される。油供給部３は、把持部２の一端に着脱自在に接続され、ドアレール１１に給油する油２８を貯蔵する。油供給部３の上部には取出し口１５が設けられ、給油管４が取出し口１５から油供給部３の内部に差し込まれる。この給油管４は、把持部２を貫通して把持部２の蓋部１６を突き抜けて、塗布部材５に油２８を供給する。
【００２３】
油供給部３は、いわゆるスポイトのように保守員が手で押圧すると塗布部材５に油２８を供給できるように、例えば、プラスティックのような柔らかな素材からなる。これにより、保守員による油供給部３への押圧力のかけ方で塗布部材５への給油量の調整が容易にできる。また、この油供給部３は外部から油２８の量が確認できるように透明な素材であることが好ましい。さらに、図２に示すように、油供給部３の取出し口１５には、キャップ２９が取り付けられて密封される。これにより、保守員により本保守具１を運搬或いは保管する際に、内部の油２８の漏洩を確実に防止することができる。
【００２４】
取付け金具６は、支持部７及び取付け部８から構成される。支持部７は、本実施形態では角型の断面を有し、把持部２の蓋部１６に固定されて塗布部材５を支持する。また、支持部７は、把持部２の蓋部１６を突き抜けた給油管４を固定具１９などの固定手段により保持する。取付け部８は、塗布部材５を包むコの字型の断面であり、塗布部材５をその内部に抱え込む。塗布部材５は、略直方体であり、ドアレール１１に給油する油２８が染み込む材料、例えばフェルトなどが用いられる。
【００２５】
図３に、取付け金具６を拡大して示す。また、図４（ａ）には、図３のＡ方向からみた側面図を、図４（ｂ）には、図３のＢ方向からみた側面図を示す。図３及び図４（ａ）に示すように、塗布部材５は、上面１２、及び両側面１３ａ，１３ｂからなるコの字型の取付け部８に収められ、塗布部材固定ビス９により着脱自在に固定される。このため、取付け部８の側面１３ａ，１３ｂには塗布部材固定ビス９を通す開口が設けられている。これにより、塗布部材の劣化による交換を容易に行うことができる。さらに、取付け部８の上面１２には、給油管４を通す開口が設けられ、塗布部材５の内部に突っ込まれた給油管４の先端から油２８が給油される。また、図４（ａ）及び（ｂ）に示すように、塗布部材５は、取付け部８の両側面１３ａ，１３ｂのエッジ部１８よりも突出している。
【００２６】
図５に、本保守具１を用いたドアレール１１の清掃及び給油方法を説明する。図５（ａ）の左図にように、支持部７を介して把持部２を図中“ｍ”の方向に引くと塗布部材５が収縮し、取付け部８のエッジ部１８ａがドアレール１１の上面に接触する。このエッジ部１８ａによりドアレール１１の上面に堆積した塵埃の塊２７を削り取って清掃することができる。
【００２７】
また、図５（ａ）の中央図にように、支持部７を介して把持部２を図中“ｎ”の方向に戻すと塗布部材５が膨張し、塗布部材５の先端が取付け部８のエッジ部１８ａ，１８ｂよりも突出する。この状態で、油供給部３を押圧すると、給油管４から塗布部材５に油２８が供給される。これにより、ドアレール１１の上面に給油することができる。
【００２８】
さらに、図５（ａ）の右図にように、支持部７を介して把持部２を図中“ｐ”の方向に再度引くと塗布部材５が収縮し、取付け部８のエッジ部１８ｂがドアレール１１の上面に接触する。このエッジ部１８ｂによりドアレール１１の上面に給油された余分な油２８を拭き取ることができる。
【００２９】
すなわち、本保守具１によれば、エッジ部１８により（１）ドアレール１１の上面に堆積した塵埃の塊２７を削り取って清掃すること、（２）ドアレール１１の上面に給油すること、及び（３）ドアレール１１の上面に給油された余分な油２８を拭き取ること、が保守具１の取付け部品をその都度取り替えることなく連続的に行うことができる。
【００３０】
上述した（１）及び（３）の作業は、図５（ｂ）のように、保守具１をドアレール１１に対して斜めに傾け、図中“ｑ”の方向に移動させても良い。これにより、塗布部材５に邪魔されずにドアレール１１上の塵埃の塊２７を削り取ることができる。
【００３１】
上述した（１）及び（３）の作業の場合、図４（ａ）中の一点鎖線に示すように、塗布部材５には、取付け金具６の側面１３近傍において厚みが減少するように切り落とし部１４を設けることが好ましい。こうすることで、より塗布部材５に邪魔されずにドアレール１１上の塵埃の塊２７をより確実に削り取ることができる。
【図面の簡単な説明】
【００３２】
【図１】本発明に係るエレベータドアレールの清掃及び給油保守具の１つの実施形態の概略構成を示す斜視図である。
【図２】油供給部の取出し口にキャップを取り付けた斜視図である。
【図３】取付け金具を拡大した透視図である。
【図４】図６の取付け金具を側面から見た側面図である。
【図５】本保守具を用いたドアレールの清掃及び給油方法を説明する説明図である。
【図６】エレベータの乗場ドアレールと乗場ドアの位置関係を示す断面図及び側面図である。
【符号の説明】
【００３３】
１  （エレベータドアレールの清掃及び給油）保守具、２  把持部、３  油供給部、４  給油管、５  塗布部材、６  取付け金具、７  支持部、８  取付け部、９  塗布部材固定ビス、１１  ドアレール、１２  上面、１３ａ，１３ｂ  側面、１４  切り落し部、１５  取出し口、１６  蓋部、１７  円筒部、１８  エッジ部、１９  固定具、２０  乗場ドア、２１  ハンガープレート、２２  乗場ドアレール、２３  ローラ、２４  ハンガーケース、２５  取り付けカバー、２７  塵埃の塊、２８  油、２９  キャップ。
【図１】
2010149979.tif 000003
【図２】
2010149979.tif 000004
【図３】
2010149979.tif 000005
【図４】
2010149979.tif 000006
【図５】
2010149979.tif 000007
【図６】
2010149979.tif 000008